(57)【要約】【課題】指向性を有するスマートアンテナにおいて、配線の取り回しを整えて外観の美観に優れるとともに、断線等から保護することができる配線の引き回しを用いたスマートアンテナおよび、アンテナ固定方法を目的とする。【解決手段】テレビジョン受信機２０に固定されるスマートアンテナ１０の軸部１７を固定する固定部５０を有しており、スマートアンテナ１０を固定部５０を用いて固定する。さらに、スマートアンテナ１０の軸部１７は、固定部５０に固定される部位より離れた部位に形成される開口１７ａより同軸部内を通る配線１５ａを導出し、導出した配線１５ａをテレビジョン受信機２０に接続する。【選択図】図２
2008283271.tif 000002
【特許請求の範囲】
【請求項１】
受信する電波の指向性を電気的に切り替え可能なスマートアンテナにおいて、
複数方向から送信されるテレビジョン放送信号を受信可能なよう受信素子を配置し、上記受信素子が受信するテレビジョン放送信号を切り替えて出力するアンテナユニットと、  上記アンテナユニットを、上記受信素子が略水平に配置されるよう収容する薄円筒形の筺体と、
上記アンテナユニットと上記テレビジョン受信機とを電気的に接続する配線と、
上記筺体をテレビジョン受信機から所定距離だけ離して同テレビジョン受信機に接続するとともに、上記アンテナユニットから引き出された配線を収容する中空形状の軸部とを有することを特徴とするスマートアンテナ。
【請求項２】
上記配線は、受信したテレビジョン放送信号をテレビジョン受信機に送信するアンテナＲＦケーブルと、上記受信素子を制御するための９０９ケーブルであることを特徴とする請求項１に記載のスマートアンテナ。
【請求項３】
受信する電波の指向性を電気的に切り替え可能なスマートアンテナを、テレビジョン受信機に接続するアンテナ取り付け構造において、
複数方向から送信されるテレビジョン放送信号を受信可能に受信素子を配置し、上記受信素子が受信するテレビジョン放送信号を切り替えて出力するアンテナユニットと、
上記アンテナユニットの受信素子の受信方向が略水平に配置するよう収容する薄円筒形の筺体と、
上記アンテナユニットと上記テレビジョン受信機とを電気的に接続する配線と、
上記筺体をテレビジョン受信機から所定距離だけ離して同テレビジョン受信機に接続するとともに、上記アンテナユニットと上記テレビジョン受信機とを接続する配線を収容する中空形状の軸部と、
上記テレビジョン受信機に配置されて、上記軸部を固定する固定部とを有し、
上記軸部は、上記固定部に固定される部位より離れた部位に形成される開口より、同軸部内を通る配線を導出し、上記導出した配線を上記テレビジョン受信機に接続することを特徴とするアンテナ取り付け構造。
【請求項４】
上記固定部は、上記軸部の外周を挟むよう上記テレビジョン受信機から延設する狭持片と、
上記狭持片を貫通して、上記狭持片にて狭持される上記軸部を固定するねじとから構成されることを特徴とする請求項３に記載のアンテナ取り付け構造。
【請求項５】
上記軸部は、上記ねじが挿入する溝を長手方向に形成し、
上記狭持片を貫通したねじが上記溝に挿入することで、上記軸部上方に配置された上記筺体を所定高さに配置することを特徴とする請求項４に記載のアンテナ取り付け構造。
【請求項６】
受信する電波の指向性を電気的に切り替え可能なスマートアンテナを、テレビジョン受信機に接続するアンテナ取り付け構造において、
複数方向から送信されるテレビジョン放送信号を受信可能なよう受信素子を配置し、上記受信素子が受信するテレビジョン放送信号を切り替えて出力するアンテナユニットと、  上記アンテナユニットの上記受信素子を上記テレビジョン受信機の設置面に対して略水平に配置するよう収容する薄円筒形の筺体と、
上記アンテナユニットから出力されるテレビジョン放送信号を上記テレビジョン受信機へと出力するアンテナＲＦケーブルと、上記受信素子を制御する９０９ケーブルとから成る配線と、
上記筺体の下方から延設するよう配置される絶縁体にて形成されるとともに、上記アンテナユニットから引き出される配線を導出する中空形状であって、上記筺体と接続しない他端に複数の溝を長手方向に形成する軸部と、
上記軸部の外周を挟むよう上記テレビジョン受信機の背面より延設する狭持片と、上記狭持片を貫通して、上記狭持片にて挟まれる上記軸部を固定するねじとから成る固定部とを有し、
上記軸部は、上記狭持片を貫通するねじの先端を上記溝に挿入することで、高さ方向を調整可能に上記テレビジョン受信機に固定され、さらに、上記固定部により固定される部位より離れた部位に形成される開口より、同軸部内を通る配線を導出し、上記導出した配線を上記テレビジョン受信機に接続することを特徴とするアンテナ取り付け構造。
【発明の詳細な説明】
【技術分野】
【０００１】
本発明は、スマートアンテナに関し、特に、受信素子をテレビジョン受信機の上方に取り付けるスマートアンテナに関する。
【背景技術】
【０００２】
従来、アンテナによるテレビジョン放送信号の受信に際してアンテナが最適受信方向を向くように、例えば、視聴者が、表示部に表示された画像を参照しながら、当該アンテナの向き等を調整していた。しかしながら、この調整方法は非常に煩雑であるという問題があった。そこで、例えば、テレビジョン放送信号の受信状況を表示できるインジケータを備え、当該インジケータにより表示される受信状況を参照しながらアンテナの向き等を手動で調整することができるアンテナシステムや、視聴者により要望があった時に、アンテナの向き等を自動で調整することができるアンテナシステムが存在する。
【０００３】
さらに、視聴者により所望のチャンネルが指定される度に、自動的に指向性を切り替えることができるアンテナ(通称、「スマートアンテナ」という。)を有するスマートアンテナも提案されている。図７は、従来のスマートアンテナ１を表す斜視図である。同図より、スマートアンテナ１は、受信素子を有したアンテナユニット２と、アンテナユニット２を収容する筺体３、筺体３を所定高さに支持するとともに、テレビジョン受信機に固定する軸部４、さらには、アンテナユニット２から引き出て、テレビジョン受信機と電気的に接続する配線５とを有する構成である。これにより、スマートアンテナ１は、テレビジョン受信機６によって配線５を介して所定の規格に基づいて制御されて、スマートアンテナの受信の指向性等を切り替えるようになっている。 
【０００４】
上記したスマートアンテナ１をテレビジョン受信機６に接続する場合、受信素子の受信感度を上げるため、受信素子をテレビジョン受信機６の設置面に対して略水平に配置するとともに、受信素子を所定距離だけ離して配置する必要がある。通常の、室内型のアンテナでは、テレビジョン放送信号を受信する受信素子としてのアンテナを伸ばすなどして、受信感度を向上させている。しかしながら、スマートアンテナでは、指向性を切り替えることができるよう、受信素子を水平方向に広げて配置している。そのため、受信素子を収容する筺体３をテレビジョン受信機６に対して所定距離だけ上方に配置する必要がある。
【０００５】
この場合、次のような問題が生じる。つまり、アンテナユニット２とテレビジョン受信機６とを接続する配線５が、外観の美観を損なわせるとともに、断線を起こし易くしていた。つまり、配線５は図７のように、テレビジョン受信機６の上方に配置された筺体３から引き出されて、下方に配置されるテレビジョン受信機６に配線される。このため、筺体３から引き出された配線が人の目に付き易くテレビジョン受信機６の外観の美観を損なわせる原因となっていた。さらに、筺体３から引き出された配線５が、何かに引っ掛かることで断線を生じる原因となっていた。
【０００６】
通常のアンテナにおける、配線の処理方法として以下の方法が開示されている。つまり、ＣＳ／ＢＳ放送を受信するＣＳ／ＢＳアンテナにおいて、パラボラ部を支持する支持アームの中にＢＳコンバーターおよび駆動装置等に接続されたケーブルを通す。これにより、配線を外観より隠し見た目を良くする（例えば、特許文献１参照。）。
【０００７】
また、配線の処理を行う他の方法として、以下の方法が開示されている。つまり、アンテナと衛星とを接続する同軸ケーブルを支柱である円形導波管の中を通すとともに、導波管の最下部からケーブルを導出して接続する（例えば、特許文献２参照。）。
【特許文献１】特開平６−９２１０
【特許文献２】特開平７−１５４１２２
【発明の開示】
【発明が解決しようとする課題】
【０００８】
上述した特許文献１、２の発明をスマートアンテナに適用した場合、次のような課題があった。つまり、前述したようにスマートアンテナは、受信感度を上げるために、受信素子をテレビジョン受信機より上方に配置するため、配線はテレビジョン受信機の上方から下方へと引き出される。さらに、スマートアンテナはその性質上受信感度が非常に良く、アンテナユニットや配線に導電物質を近づけると受信感度が悪くなる場合があった。そのため、通常の配線方法では、スマートアンテナの受信感度を阻害する場合があった。
【０００９】
本発明は、上記課題にかんがみてなされたもので、指向性を有するスマートアンテナにおいて、配線の取り回しを整えて外観の美観に優れるとともに、断線等から保護することができる配線の引き回しを用いたスマートアンテナおよび、アンテナ固定方法を目的とする。
【課題を解決するための手段】
【００１０】
上記課題を解決するために、本発明の請求項１にかかる発明では、受信する電波の指向性を電気的に切り替え可能なスマートアンテナにおいて、
複数方向から送信されるテレビジョン放送信号を受信可能なよう受信素子を配置し、上記受信素子が受信するテレビジョン放送信号を切り替えて出力するアンテナユニットと、上記アンテナユニットを、上記受信素子の受信方向を略水平に配置されるよう収容する薄円筒形の筺体と、上記アンテナユニットと上記テレビジョン受信機とを電気的に接続する配線と、上記筺体をテレビジョン受信機から所定距離だけ離して同テレビジョン受信機に接続するとともに、上記アンテナユニットから引き出された配線を収容する中空形状の軸部とを有する構成としてある。 
【００１１】
上記のように構成した発明では、スマートアンテナは筺体と軸部とを有する。筺体は、アンテナユニットを上記受信素子の受信方向が略水平に配置されるよう収容する薄円筒形である。スマートアンテナは、その性質上受信感度が非常に高く、一方で導電体による影響を受け易い。そのため、軸部は、筺体をテレビジョン受信機から所定距離だけ離すよう接続することで、テレビジョン受信機からのノイズの影響を低減する。そして、その形状を中空形状とすることで軸部は、アンテナユニットから引き出された配線をテレビジョン受信機に導出する役割を果たす。
【００１２】
これにより、アンテナユニットから引き出された配線は、軸部に収容された状態でテレビジョン受信機に接続されるため、外から見えることはない。そのため、スマートアンテナの外観の見栄えを良くする。さらに、配線は軸部に収容されてテレビジョン受信機に接続されるため、アンテナユニットから引き出された配線が断線することを防止することもできる。
【００１３】
また、実施の形態における具体的な配線の構成として、請求項２に記載の発明では、上記配線は、受信したテレビジョン放送信号をテレビジョン受信機に送信するアンテナＲＦケーブルと、上記受信素子を制御するための９０９ケーブルである構成としてある。
【００１４】
上記のように構成した発明では、軸部より導出される配線は、テレビジョン放送信号をテレビジョン受信機に送信するためのアンテナＲＦと、受信素子を制御するための９０９ケーブルとから構成されている。そのため、上記２つの配線を使用する具体的な構成のスマートアンテナに適応することができる。
【００１５】
また、スマートアンテナの配線の取り回しに関しては、アンテナ側の構成のみならず、アンテナを接続するテレビジョン受信機の構成も考慮される必要がある。そのため、請求項３に記載の発明では、受信する電波の指向性を電気的に切り替え可能なスマートアンテナを、テレビジョン受信機に接続するアンテナ取り付け構造において、複数方向から送信されるテレビジョン放送信号を受信可能に受信素子を配置し、上記受信素子が受信するテレビジョン放送信号を切り替えて出力するアンテナユニットと、上記アンテナユニットの受信素子の受信方向が略水平に配置するよう収容する薄円筒形の筺体と、上記アンテナユニットと上記テレビジョン受信機とを電気的に接続する配線と、上記筺体をテレビジョン受信機から所定距離だけ離して同テレビジョン受信機に接続するとともに、上記アンテナユニットと上記テレビジョン受信機とを接続する配線を収容する中空形状の軸部と、上記テレビジョン受信機に配置されて、上記軸部を固定する固定部とを有し、上記軸部は、上記固定部に固定される部位より離れた部位に形成される開口より、同軸部内を通る配線を導出し、上記導出した配線を上記テレビジョン受信機に接続する構成としてある。
【００１６】
上記のように構成された発明では、テレビジョン受信機は、スマートアンテナの軸部を固定する固定部を有しており、スマートアンテナを固定部を用いて固定する。さらに、スマートアンテナの軸部は、固定部に固定される部位より離れた部位に形成される開口より同軸部内を通る配線を導出し、導出した配線をテレビジョン受信機に接続する。
【００１７】
そのため、軸部より導出された配線は、固定部に固定される部位より離れた部位に形成される開口より導出されることで、配線は固定部と干渉することなくテレビジョン受信機に接続される。つまり、配線は固定部、および固定部を構成するねじ等の導電物質と干渉することなく、開口より導出されてテレビジョン受信機と接続される。これにより、配線を断線させることなく、テレビジョン受信機に固定することができる。
【００１８】
上述したように、軸部から導出される配線は、固定部に固定される位置より離れた部位に形成する開口より導出される。そのため、固定部は、軸部の開口と干渉しない形状であることが望ましい。そのため、スマートアンテナを固定する固定部の具体的な構成として、請求項４に記載の発明では、上記固定部は、上記軸部の外周を挟むよう上記テレビジョン受信機から延設する狭持片と、上記狭持片を貫通して、上記系止部にて係止される上記軸部を固定するねじとから構成されている。
【００１９】
上記のように構成した発明では、スマートアンテナの軸部は、狭持片により外周を狭持されるとともに、狭持片を貫通するねじにて軸部を固定する。このとき、軸部は、狭持片にて、外周を狭持されるだけであるため、軸部に形成した開口を塞ぐことなく軸部を固定することができる。つまり、狭持片が軸部を両側から狭持するものであれば、軸部の狭持されない面に開口を配置することにより、配線を固定部に阻害されることなく導出することができる。さらに、狭持片により狭持された軸部をねじにて固定する構成であるため、軸部から導出される配線はねじ等の金属と直接接触しない。このため、スマートアンテナを固定するに際し、配線を固定部で断線させることなく配線できるとともに、軸部を軸心を回転中心として回転させることができ、配線の取り回しを自由に行うことができる。
【００２０】
さらに、軸部の具体的な構成として、請求項５に記載の発明では、上記軸部は上記ねじが挿入する溝を長手方向に形成し、上記狭持片を貫通したねじが上記溝に挿入することで、上記軸部上方に配置された上記筺体を所定高さに配置する構成としてある。
【００２１】
上記のように構成された発明では、狭持片を貫通したねじは軸部に形成された溝に挿入することで、軸部をテレビジョン受信機に固定する。このとき、軸部に形成される溝は、軸部の長手方向に配置するよう形成されている。そのため、ねじが挿入される溝の位置を調整することにより、軸の上方に配置された筺体の固定部からの高さが変化する。これにより、筺体の高さ方向の位置を任意に変更することができ、テレビジョン受信機の天井面とスマートアンテナとの高さを任意に調整することができる。このため、テレビジョン受信機からのノイズの影響を低減させて、スマートアンテナの受信感度をより向上させることができる。
【００２２】
また、上記課題を解決するための具体的な構成として、請求項６に記載の発明では、受信する電波の指向性を電気的に切り替え可能なスマートアンテナを、テレビジョン受信機に接続するアンテナ取り付け構造において、複数方向から送信されるテレビジョン放送信号を受信可能なよう受信素子を配置し、上記受信素子が受信するテレビジョン放送信号を切り替えて出力するアンテナユニットと、上記アンテナユニットの上記受信素子を上記テレビジョン受信機の設置面に対して略水平に配置するよう収容する薄円筒形の筺体と、上記アンテナユニットから出力されるテレビジョン放送信号を上記テレビジョン受信機へと出力するアンテナＲＦケーブルと、上記受信素子を制御する９０９ケーブルとから成る配線と、上記筺体の下方から延設するよう配置される絶縁体にて形成されるとともに、上記アンテナユニットから引き出される配線を導出する中空形状であって、上記筺体と接続しない他端に複数の溝を長手方向に形成する軸部と、上記軸部の外周を挟むよう上記テレビジョン受信機の背面より延設する狭持片と、上記狭持片を貫通して、上記狭持片にて挟まれる上記軸部を固定するねじとから成る固定部とを有し、上記軸部は、上記狭持片を貫通するねじの先端を上記溝に挿入することで、高さ方向を調整可能に上記テレビジョン受信機に固定され、さらに、上記固定部により固定される部位より離れた部位に形成される開口より、同軸部内を通る配線を導出し、上記導出した配線を上記テレビジョン受信機に接続する構成としてある。
【発明の効果】
【００２３】
以上説明したように本発明によれば、指向性を有するスマートアンテナにおいて、配線の取り回しを整えて外観の美観に優れるとともに、断線等から保護することができる。
また請求項２にかかる発明によれば、９０９ケーブルとアンテナＲＦケーブルを使用する具体的な構成のスマートアンテナに適応することができる。
そして請求項３にかかる発明によれば、配線を断線させることなく、スマートアンテナをテレビジョン受信機に固定することができる。
さらに請求項４にかかる発明によれば、スマートアンテナを固定するに際し、配線を固定部で断線させることなく配線できるとともに、軸部を軸心を回転中心として回転させることができ、配線の取り回しを自由に行うことができる。
また請求項５にかかる発明によれば、テレビジョン受信機の天井面とスマートアンテナとの高さを任意に調整することができ、テレビジョン受信機からのノイズの影響を低減させて、スマートアンテナの受信感度をより向上させることができる。
さらに請求項６のような、より具体的な構成において、上述した請求項１〜請求項５の各発明と同様の作用を奏することはいうまでもない。
【発明を実施するための最良の形態】
【００２４】
本発明のスマートアンテナの具体的な説明として、上記スマートアンテナを使用するテレビジョン受信機を基に説明する。しかしながら、本発明のスマートアンテナは上記テレビジョン受信機に限定されるものではなく、本発明のスマートアンテナを使用するものであれば何にでも応用することができる。
以下、下記の順序に従って本発明の実施形態を説明する。
（１）テレビジョン受信装置の構成
（１−１）スマートアンテナの構成
（１−１−１）筺体の構成
（１−１−２）アンテナユニットの構成
（１−１−３）軸部の構成
（１−２）テレビジョン受信機の構成
（１−２−１）アンテナ取り付け方法
（２）まとめ
【００２５】
（１）テレビジョン受信装置の構成
以下、図１〜図６を参照して、本発明にかかるスマートアンテナ及びスマートアンテナを備えたテレビジョン受信機の最良の形態を詳細に説明する。なお、発明の範囲は、図示例に限定されない。
【００２６】
図１は、本発明の実施の形態でのテレビジョン受信装置１００のブロック構成図である。同図１より、テレビジョン受信装置１００は、スマートアンテナ１０と、テレビジョン受信機２０を備えて構成される。スマートアンテナ１０とテレビジョン受信機２０は、例えば、所定の通信方式（例えば、EIA/CEA-909等 ）に基づいた通信を行うためのインターフェィス（以下９０９インターフェース）を介して接続されている。また、スマートアンテナ１０は、例えば、テレビジョン放送信号を受信するようになっており、テレビジョン受信機２０は、例えば、スマートアンテナ１０により受信されたテレビジョン放送信号に基づく音声や画像を出力するようになっている。
【００２７】
図２は、テレビジョン受信機２０に固定されるスマートアンテナ１０を表す斜視図である。テレビジョン受信装置１００にてテレビジョン放送信号を受信する場合は、スマートアンテナ１０をテレビジョン受信機２０の背面に固定された固定部５０により取り付けるとともに、スマートアンテナ１０とテレビジョン受信機２０とを配線にて接続する。具体的には、スマートアンテナ１０が受信したテレビジョン放送信号を、テレビジョン受信機２０に配線を介して出力する。
【００２８】
（１−１）スマートアンテナの構成
図３は、スマートアンテナ１０の構成を表す構成図である。同図より、スマートアンテナ１０は、受信素子１３を有するアンテナユニット１５と、アンテナユニット１５を収容する筺体１４、筺体１４の下方より延設するよう固定されて、筺体１４および筺体１４に収容されるアンテナユニット１５をテレビジョン受信機２０から所定距離だけ離した上方に配置する軸部１７とを有している。
【００２９】
（１−１−１）筺体の構成
筺体１４は、アンテナユニット１５を収容するためのものである。アンテナユニット１５は、テレビジョン放送信号の受信に対して指向性を持った受信素子１３を有している。そのため、筺体１４は、受信素子の受信方向を水平に保つよう収容する。一例としては、アンテナユニット１５を実装する基板を水平方向に向けることにより、筺体１４内に収容している。そのため、筺体１４は、アンテナユニット１５を水平に収容できるよう、上部筺体部１４ａと下部筺体部１４ｂとから構成され、且つ、薄円筒形の形状である。また、アンテナユニット１５をテレビジョン受信機２０等からのノイズから守るために、筺体１４は絶縁物質にて形成されている。筺体を構成する絶縁物質の一例としては、樹脂やプラスチック等が挙げられる。
【００３０】
筺体１４の上部筺体部１４ａは、アンテナユニット１５を収容できる凹部を有する、横断面が円形の形状である。また、下部筺体部１４ｂは、アンテナユニット１５を収容できる凹部を有する横断面が円形の形状であるとともに、下方に円錐台状の部位を有する形状である。そして、下部筺体部１４ｂの横断面中央には、アンテナユニット１５から引き出される配線（後述）が、導出される穴１４ｂ１を有している。さらに、円錐台状の部位の下方には、軸部１７が挿入されて固定される穴１４ｂ１を有する結合片１４ｂ２を有している。また、結合片１４ｂ２の穴１４ｂ１は、下部筺体部１４ｂの底辺を貫通しており、アンテナユニット１５から引き出された配線を、穴１４ｂ１から導出する。これにより、下部筺体部１４ｂに穴１４ｂ１から配線を導出さるよう配置した後、上部筺体部１４ａで下部筺体部１４ｂを覆うように固定することにより、アンテナユニット１５は筺体１４内に収容される。
【００３１】
（１−１−２）アンテナユニットの構成
アンテナユニット１５は、テレビジョン放送信号を受信する際、受信可能なテレビジョン放送信号の指向性を電気的に切り替えることが可能である。アンテナユニット１５の構成について、図１を参照して説明する。アンテナユニット１５は、例えば、９０９インターフェイス１２と、アンテナコントローラ１１とテレビジョン放送信号の受信に際して指向性の切り替えが可能な受信素子１３などを傭えて構成される。
【００３２】
９０９インターフェイス１２は、例えば、テレビジョン受信機２０の９０９インターフェイス(後述)と９０９ケーブル１５ａ１にて接続しており、テレビジョン受信機２０の９０９インターフェイス２１（後述）と所定の通信方式(例えば、EIA/CEA-９０９等)に基づいた通信を行って、テレビジョン受信機２０から受信素子１３を制御するためのチャンネル情報等を受信して、アンテナコントローラ１１に出力する。
【００３３】
アンテナコントローラ１１は、例えば、制御部１１ａを備えている。制御部１１ａは、例えば、ＣＰＵ１１ａ１と、ＲＡＭ１１ａ２と、ＲＯＭ１１ａ３、などを備えている。ＣＰＵ１１ａ１は、ＲＯＭ１１ａ３に記録されたアンテナコントローラ１１用の各種処理プログラムに従って各種の制御動作を行う。ＲＡＭ１１ａ２は、ＣＰＵ１１ａ１によって実行される処理プログラムなどを展開するためのプログラム格納領域や、入カデータや上記処理プログラムが実行される際に生じる処理結果などを格納するデータ格納領域などを備える。ＲＯＭ１１ａ３は、アンテナコントローラ１１で実行可能なシステムプログラム、システムプログラムで実行可能な各種処理プログラム、これら各種処理プログラムを実行する際に使用されるデータ、ＣＰＵ１１ａ１によって演算処理された処理結果のデータなどを記録する。なお、プログラム２００は、コンピュータが読み取り可能なプログラムコードの形でＲＯＭ１１ａ３に記録されている。
【００３４】
プログラム２００は、例えば、ＣＰＵ１１ａ１により取得されたチャンネル情報に含まれる物理チャンネル番号に対応するテレビジョン放送信号に基づいて、受信素子１３の指向性を電気的に切り替える。具体的には、プログラム２００を実行したＣＰＵ１１ａ１により取得されたチャンネル情報に含まれる物理チャンネル番号に対応するテレビジョン放送信号の判定に基づいて、当該テレビジョン放送信号を受信するアンテナとしての受信素子１３の指向性を切り替える。
【００３５】
切替部１１ｂは、例えば、制御部１１ａから入力される制御信号に従って、プログラム２００を実行したＣＰＵ１１ａ１により受信素子１３が選択された場合、プログラム２００を実行したＣＰＵ１１ａ１により取得されたチャンネル情報に含まれる方向情報に基づいて、受信素子１３の指向性を切り替える。
【００３６】
受信素子１３は、例えば、テレビジョン受信機２０のチューナ２２とアンテナＲＦケーブル１５ａ２で接続されており、プログラム２００を実行したＣＰＵ１１ａ１の指示に基づいてテレビジョン放送信号を受信する。具体的には、受信素子１３は、複数の指向性の方向(例えば、１６方向)を有し、切替部１１ｂにより当該複数の方向のうちの一方向に指向性が切り替えられると、当誠一方向からのテレビジョン放送信号に、他方向からのテレビジョン放送信号よりも大きな感度を示すようになっている。
【００３７】
（１−１−３）軸部の構成
軸部１７は、筺体１４および、筺体１４に収容するアンテナユニット１５をテレビジョン受信機２０の上方に配置するためのものである。さらに、本発明の実施の形態に係る軸部１７は、スマートアンテナ１０をテレビジョン受信機２０に固定する際、テレビジョン受信機２０に接続される９０９ケーブル１５ａ１およびアンテナＲＦケーブル１５ａ２を収容する。これにより、９０９ケーブル１５ａ１およびアンテナＲＦケーブル１５ａ２は、人目に付かず、外観の美観を損ねない。さらに、９０９ケーブル１５ａ１およびアンテナＲＦケーブル１５ａ２は、軸部１７内に収容されるため、断線から保護することができる。
【００３８】
軸部１７の形状は、所定の長さを有する中空円筒形である。また、一端側に開口１７ａと、長さ方向に複数形成された溝１７ｂ、１７ｃを有している。また、テレビジョン受信機２０に接続した際、テレビジョン受信機からのノイズを防止するために、絶縁物質にて形成されている。
【００３９】
上述した構成により、軸部１７は、筺体１４の下方に形成された結合片１４ｂ２の穴１４ｂ１に、開口１７ａと溝１７ｂ、１７ｃが形成されない一端側を挿入して筺体１４と結合する。このとき、筺体１４に収容されたアンテナユニット１５から引き出されて穴１４ｂ１から導出された９０９ケーブル１５ａ１とアンテナＲＦケーブル１５ａ２とを、軸部１７の円筒の中空を貫通させるよう挿入し、開口１７ａから導出する。また、結合片１４ｂ２には、結合片１４ｂ２の壁面を貫通する雌ねじ部１４ｂ３が形成されており、ねじ１８を雌ねじ部１４ｂ３に螺号するよう挿入させて、穴１４ｂ１に挿入した軸部１７の先端と当接させて、軸部１７を固定する。
【００４０】
（１−２）テレビジョン受信機の構成
次に、テレビジョン受信機２０の構成について、図１を参照して説明する。テレビジョン受信機２０は、例えば、９０９インターフェイス２１と、チューナ２２と、フロントエンド２３と、デコーダ２４と、ＯＳＤ回路２７と、リモコン受信部２８と、記録部２９と、制御部３０とを備えて構成される。上述した各部は、樹脂製のキャビネット２０ａに収容されて配置される。また、図２に示すようにキャビネット２０ａ背面に形成される固定部５０により前述したスマートアンテナ１０を固定する。
【００４１】
テレビジョン受信機２０は、スマートアンテナ１０から受信したテレビジョン放送信号を受け付けて、映像や音声を出力する。そのため、映像や音声を出力するために、デコーダ２４に接続された音声出力部２５や画像表示部２６を備えている。さらに、テレビジョン受信機２０は、例えば、リモコン受信部２８と通信可能なテレビジョン受信機２０用のリモコン装置４０を備えている。以下にテレビジョン受信機２０の各構成要素を説明する。
【００４２】
９０９インターフェイス２１は、例えば、スマートアンテナ１０の９０９インターフェイス１２と９０９ケーブル１５ａ１を用いて接続しており、例えば、制御部３０から入力される制御信号に従って、スマートアンテナ１０の９０９インターフェイス１２と所定の通信方式(例えば、EIA/CEA-909 等)に基づいた通信を行って、スマートアンテナ１０にスマートアンテナ１０を制御するためのチャンネル情報等を送信する。
【００４３】
チューナ２２は、例えば、スマートアンテナ１０の受信素子１３とアンテナＲＦケーブル１５ａ２を介して電気的に接続されており、制御部３０から入力される制御信号に従って、受信素子１３から出力されたテレビジョン放送信号の中からユーザによって選局されたチャンネルに対応するテレビジョン放送信号を取得して、フロントエンド２３に出力する。
【００４４】
フロントエンド２３は、例えば、制御部３０から入力される制御信号に従って、チューナ２２から出力されたテレビジョン放送信号を中間周波信号に変換して、デコーダ２４に出力する。
【００４５】
デコーダ２４は、例えば、制御部３０から入力される制御信号に従って、フロントエンド２３から出力されたテレビジョン放送信号に対して所定のファイル形式(例えば、ＭＰＥＧー２（Moving Picture Experts Group phase 2）形式等）に応じた処理を施すことによって、当該テレビジョン放送信号を音声信号と画像信号とに分離してデコードする。そして、当該デコードした音声信号を音声出力部２５に出力するとともに、画像信号を画像表示部２６に出力する。
【００４６】
音声出力部２５は、例えば、スピーカ機器等であり、デコーダ２４から出力された音声信号に墓づく音声データに応じた音声を出力する。
【００４７】
画像表示部２６は、例えば、液晶表示機器等であり、デコーダ２４から出力された画像信号に基づく画像データに応じた画像や、デコーダ２４から出力され、ＯＳＤ回路２７によりＯＳＤ表示信号(後述)が合成された画像信号に基づく画像データに応じた画像を表
示する。
【００４８】
ＯＳＤ回路２７は、例えば、制御部３０から入力される制御信号に従って、画像表示部２６に所定のＯＳＤ表示(オンスクリーンディスプレイ表示)をさせるためのＯＳＤ表示
信号を、デコーダ２４から画像表示部２６に出力される画像信号に合成する。
【００４９】
リモコン受信部２８は、例えば、リモコン装置４０から送信された各種信号を受信し、当該各種信号に基づく各種データを、制御部３０に出力する。
【００５０】
リモコン装置４０は、例えば、ユーザによって操作され、当該操作に応じた信号をリモコン受信部２８に送信する。具体的には、リモコン装置４０は、例えば、選局するチャンネルを指定する際に操作される、チャンネルキーやチャンネルアップ/ダウンキーなどを有する。
【００５１】
記録部２９は、例えば、磁気的記録媒体、光学的記録媒体、若しくは半導体メモリで構成されている。具体的には、記録部２９には、チャンネルマップ２９ａ等が記録されている。チャンネルマップ２９ａは、例えば、チャンネル情報等を記録している。具体的には、チャンネルマップ２９ａは、例えば、リモコン装置４０のチャンネルキーやチャンネルアップ/ダウンキーに割り当てられた仮想チャンネル番号と、物理チャンネル番号と、スマートアンテナ１０の指向性の方向に関する方向情報と、スマートアンテナ１０のゲインに関するゲイン情報などを対応付けて記録している。チャンネルマップ２９ａに記録される情報は、例えば、テレビジョン受信装置１００の初期設定処理において決定されて、チャンネルマップ２９ａに記録されるようになっている。
【００５２】
制御部３０は、例えば、ＣＰＵ３０ａと、ＲＡＭ３０ｂと、ＲＯＭ３０ｃなどを備えている。ＣＰＵ３０ａは、ＲＯＭ３０ｃに記録されたテレビジョン受信機２０用の各種処理プログラムに従って、各種の制御動作を行う。ＲＡＭ３０ｂは、ＣＰＵ３０ａによって実行される処理プログラムなどを展開するためのプログラム格納領域や、入カデータや上記処理プログラムが実行される隙に生じる処理結果などを格納するデータ格納領城などを備える。
【００５３】
ＲＯＭ３０ｃは、テレビジョン受信機２０で実行可能なシステムプログラム、当該システムプログラムで実行可能な各種処理プログラム、これら各種処理プログラムを実行する際に使用されるデータ、ＣＰＵ３０ａによって演算処理された各種結果のデータなどを記録する。なお、プログラムは、コンピュータが読み取り可能なプログラムコードの形でＲＯＭ３０ｃに記録されている。具体的には、ＲＯＭ３０ｃは、例えば、送信プログラム３００等を記録している。
【００５４】
送信プログラム３００は、例えば、９０９インターフェイス２１を介して、スマートアンテナ１０に、チャンネル情報を送信する機能を、ＣＰＵ３０ａに実現させる。具体的には、ＣＰＵ３０ａは、例えば、ユーザによるリモコン装置４０のチャンネルキーやチャンネルアップ/ダウンキーの操作等によって所定のチャンネルが選局されると、選局されたチャンネルのチャンネル番号(仮想チャンネル番号)に対応するチャンネル情報(物理チャンネル番号、方向情報、ゲイン情報など)を、記録部２９のチャンネルマップ２９ａから取得して、９０９インターフェイス２１を介して、スマートアンテナ１０のアンテナコントローラ１１に送信する。これにより、スマートアンテナ１０は、指向性を切り替えて、選択されたテレビジョン放送信号を受信する。
【００５５】
（１−２−１）アンテナ取り付け方法
図４は、キャビネット２０ａの背面に形成される固定部５０を表す図である。以下スマートアンテナ１０を固定部５０を用いてテレビジョン受信機２０に固定する方法を説明する。同図より、固定部５０は、キャビネット２０ａの背面壁面より延設する４個の狭持片５０ａ、５０ｂ、５０ｃ、５０ｄとから構成されている。狭持片５０ａ、５０ｂ、５０ｃ、５０ｄは、スマートアンテナ１０の筺体１４の天井面をテレビジョン受信機２０の設置面に対して略水平になるよう固定する。そのため、設置面に対して水平方向に対向する狭持片（図では、５０ａと５０ｂ、および５０ｃと５０ｄ）は、その対向する面を軸部１７の外周に沿って湾曲する湾曲面５０ａ１、５０ｂ１、５０ｃ１、５０ｄ１を有している。さらに、狭持片５０ａ、５０ｃは、ねじ５１、５１、５１、５１と螺合する雌ねじ部５０ａ２、５０ｂ２、５０ｃ２、５０ｄ２とを形成している。
【００５６】
図５は、固定部５０を基準とした、天井面の高さと筺体１４の高さを表す図である。まず、狭持片５０ａ、５０ｂの湾曲面５０ａ１と５０ｂ１にて形成される空間に、軸部１７の筺体１４と結合しない端側を上方より挿入する。さらに、そのままの状態で、軸部１７の先端を、狭持片５０ｃ、５０ｄの湾曲面５０ｃ１、５０ｄ１により形成される空間を貫通するよう挿入していく。これにより、軸部１７の外周は、狭持片５０ａ、５０ｂ、５０ｃ、５０ｄの湾曲面５０ａ１、５０ｂ１、５０ｃ１、５０ｄ１により狭持される。そのため、軸部１７の先端に固定した筺体１４の天井面は、設置面に対して略水平に向けて配置される。
【００５７】
上述した状態で、狭持片５０ａと５０ｂの雌ねじ部５０ａ２、５０ｂ２にねじ５１、５１を螺合させる。このとき、雌ねじ部５０ａ２、５０ｂ２が狭持片５０ａ、５０ｂを貫通する先には、軸部１７に形成された溝１７ｂ、１７ｃの凹部が配置されるよう、軸部１７を高さ方向に調節する。これにより、雌ねじ部５０ａ２、５０ｃ２を貫通するよう螺合するねじ５１、５１の先端が、軸部１７の溝１７ｂ、１７ｃの凹部に挿入して軸部１７を位置決めする。これにより、軸部１７は、ねじ５１にて所定高さに固定される。さらに、雌ねじ部５０ｃ２、５０ｄ２についても同様にねじ５１、５１を挿入して固定する。
【００５８】
その後、９０９ケーブル１５ａ１とアンテナＲＦケーブル１５ａ２とを、軸部１７の開口１７ａから導出させ、テレビジョン受信機２０のアンテナ端子に接続する。これにより、スマートアンテナ１０とテレビジョン受信機２０とは固定され、テレビジョン放送信号を受信可能となる。
【００５９】
また、このとき、軸部１７に形成される溝１７ｂを複数形成するとともに、上記形成した溝を用いてスマートアンテナの筺体１４の天井面の高さを調整することができる。つまり、筺体１４をテレビジョン受信機２０に対してどれだけの高さに配置するかを調整することができる。これは、テレビジョン受信機２０から出力されるノイズによる筺体１４に収容されるアンテナユニット１５に対する影響を低減させるためのものである。
【００６０】
図５では、軸部１７は、左右に対向するように溝１７ｂを４対形成し、ねじ５１、５１は、図中上から２番目の溝１７ｂ１７ｃに挿入している。この状態では、固定部５０の狭持片５０ａ、５０ｂからスマートアンテナ１０の筺体１４の高さ（一例として、受信素子１３が配置される高さとしている。）をＬとする。また、固定部５０からテレビジョン受信機２０の天井面までの高さをＬＴＶとする。
【００６１】
具体的な、使用方法として、スマートアンテナ１０に対して、テレビジョン受信機２０からのノイズの影響がある場合などは、軸部１７と固定部５０とを固定するねじ５１、５１を緩ませるとともに、軸部１７を調整したい高さまで上げる。一例として、軸部１７の図中上から４番目の溝１７ｃが、狭持片５０ａ、５０ｂの雌ねじ部５０ａ２、５０ｂ２の穴の高さまでくるよう、軸部１７を上昇させる。そして再度、ねじ５１、５１を締め直し軸部１７の図中上から４番目の溝１７ｂ、１７ｃの凹部にねじ５１、５１の先端を挿入するよう螺合する。これにより、固定部５０を基準とする筺体１４までの高さから固定部５０を基準としたテレビジョン受信機２０の天井面までの高さを引いた値（Ｌ−ＬＴＶ）は長くなり、それだけテレビジョン受信機２０から筺体１４が上方に離れることとなる。そのため、テレビジョン受信機２０からのノイズの影響を低減することができる。また、スマートアンテナ１０の筺体１４を低くする場合、上述した方法と逆の方法をとればよい。
【００６２】
図６は、他の一例としての固定部５０を表す斜視図である。固定部５０は、スマートアンテナ１０の軸部を固定するためのものであり、上述した構造は一例にすぎない。そのため、以下のように固定部５０を構成するものであってもよい。図６に示す固定部５０も図４に示した固定部５０と同様、テレビジョン受信機２０のキャビネット背面側から延設している。図４に示す固定部５０との違いは、キャビネット背面から一対の狭持片５０ｅ、５０ｆが延設することである。狭持片５０ｅ、５０ｆは図４に示す狭持片５０ａ、５０ｂより高さ方向に長い形状としている。スマートアンテナ１０の軸部１７は、狭持片５０ｅ、５０ｆの湾曲する湾曲面５０ｅ１、５０ｆ１にて形成される空間に挿入されて、外周面を狭持される。
【００６３】
（３）まとめ
以上説明したように、テレビジョン受信機２０は、スマートアンテナ１０の軸部１７をキャビネット背面から延設する固定部５０にて狭持して固定する。このとき、スマートアンテナ１０の軸部１７は、固定部５０に固定される部位より離れた部位に形成される開口１７ａより軸部１７内を通る配線１５ａを導出し、導出した配線１５ａ、１５ｂをテレビジョン受信機２０に接続する。そのため、軸部１７より導出された配線１５ａは、固定部５０に固定される部位より離れた部位に形成される開口１７ａより導出されることで、配線１５ｂは固定部５０と干渉することなくテレビジョン受信機２０に接続される。つまり、配線１５ａは固定部５０、および固定部５０を構成するねじ５１，５１の導電物質と干渉することなく、開口１７ａより導出されてテレビジョン受信機２０と接続される。これにより、スマートアンテナ１０を接続したテレビジョン受信機２０の外観の美観を損なうことなく、配線１５ａを接続することができる。また、配線１５ａは軸部１７に収容されて導出されるため、断線を防止することができる
【００６４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６５】
【図１】本発明の実施の形態でのテレビジョン受信装置のブロック構成図である。
【図２】テレビジョン受信機に固定されるスマートアンテナを表す斜視図である。
【図３】スマートアンテナの構成を表す構成図である。
【図４】キャビネットの背面に形成される固定部を表す図である。
【図５】固定部を基準とした、天井面の高さと筺体の高さを表す図である。
【図６】他の一例としての固定部を表す斜視図である。
【図７】従来のスマートアンテナ１を表す斜視図である。
【符号の説明】
【００６６】
１０…スマートアンテナ、１１…アンテナコントローラ、１１ａ…制御部、１１ｂ…切替部、１１ａ１…ＣＰＵ、１１ａ２…ＲＡＭ、１１ａ３…ＲＯＭ、１２…９０９インターフェイス、１３…受信素子、１４…筺体、１４ａ…上部筺体部、１４ｂ…下部筺体部、１４ｂ１…穴、１４ｂ２…結合片、１４ｂ３…雌ねじ部、１５…アンテナユニット、１５ａ…配線、１５ａ１…９０９ケーブル、１５ａ２…アンテナＲＦケーブル、１７…軸部、１７ａ…開口、１７ｂ、１７ｃ…溝、２０…テレビジョン受信機、２０ａ…キャビネット、２１…９０９インターフェイス、２２…チューナー、２３…フロントエンド、２４…デコーダ、２５…音声出力部、２６…画像表示部、２７…ＯＳＤ回路、２８…リモコン受信部、２９…記録部、２９ａ…チャンネルマップ、３０…制御部、３０ａ…ＣＰＵ、３０ｂ…ＲＡＭ、３０ｃ…ＲＯＭ、４０…リモコン装置、５０…固定部、５０ａ、５０ｂ、５０ｃ、５０ｄ、５０ｅ、５０ｆ…狭持片、５０ａ１、５０ｂ１、５０ｃ１、５０ｄ１、５０ｅ１、５０ｆ１…湾曲面、５０ａ２、５０ｂ２、５０ｃ２、５０ｄ２…雌ねじ部、、６０…固定部、１００…テレビジョン受信装置、２００…プログラム、３００…送信プログラム
【図１】
2008283271.tif 000003
【図２】
2008283271.tif 000004
【図３】
2008283271.tif 000005
【図４】
2008283271.tif 000006
【図５】
2008283271.tif 000007
【図６】
2008283271.tif 000008
【図７】
2008283271.tif 000009